(57)【要約】【課題】通信装置による不具合を、容易に検出する。【解決手段】送信回路６１は、携帯電話機２１の不具合検出用の試験用信号を送信し、受信回路６４は、送信された試験用信号を、受信アンテナ８３、同軸コネクタ８２及び同軸コネクタ４７を介して受信する。そして、制御部４１は、受信された試験用信号の電力レベルと所定の閾値との比較結果に基づいて、携帯電話機２１に不具合が生じているか否かを判断する。本発明は、例えば携帯電話機等の、無線通信を行う通信装置に適用できる。【選択図】図１
2010287978.tif 000002
【特許請求の範囲】
【請求項１】
無線通信の不具合を自己検出する通信装置において、
給電を行うバッテリと、
充電器に設けられた、前記バッテリに対して充電を行う充電機能部と接続される第１の接続手段と、
前記充電器に設けられた、不具合検出用の試験用信号を受信する第１の受信アンテナと接続される第２の接続手段と、
前記第１の接続手段による前記充電機能部との接続、又は前記第２の接続手段による前記第１の受信アンテナとの接続の少なくとも一方を検出する検出手段と、
前記検出手段により、前記第１の接続手段による前記充電機能部との接続、又は前記第２の接続手段による前記第１の受信アンテナとの接続の少なくとも一方が検出された場合、前記試験用信号を送信する送信手段と、
送信された前記試験用信号を、前記第１の受信アンテナ及び前記第２の接続手段を介して受信する受信手段と、
受信された前記試験用信号の電力レベルと所定の閾値との比較結果に基づいて、前記通信装置に不具合が生じているか否かを判断する判断手段と
を含む通信装置。
【請求項２】
前記送信手段には、前記試験用信号を送信するための送信アンテナが設けられており、
前記送信アンテナは、前記送信アンテナにより送信されて前記第１の受信アンテナに到達したときの前記試験用信号の電力レベルが、前記第１の受信アンテナにより受信可能な電力レベルとなる位置に設けられている
請求項１に記載の通信装置。
【請求項３】
前記受信手段による前記試験用信号の受信に用いられるアンテナを、前記第２の接続手段に接続される前記第１の受信アンテナに切り替える切り替え手段をさらに含み、
前記第２の接続手段には、前記受信手段が、前記切り替え手段を介して接続されており、
前記受信手段は、前記切り替え手段により切り替えられた前記第１の受信アンテナを介して前記試験用信号を受信する
請求項１に記載の通信装置。
【請求項４】
前記前記切り替え手段には、前記試験用信号を受信するための第２の受信アンテナが接続されており、
前記切り替え手段は、前記受信手段による前記試験用信号の受信に用いられるアンテナを、前記前記第２の接続手段に接続された前記第１の受信アンテナ、又は前記第２の受信アンテナのうちのいずれかに切り替え、
前記受信手段は、
前記切り替え手段により、前記試験用信号の受信に用いられるアンテナが前記第１の受信アンテナに切り替えられている場合、前記第１の受信アンテナを介して前記試験用信号を受信し、
前記切り替え手段により、前記試験用信号の受信に用いられるアンテナが前記第２の受信アンテナに切り替えられている場合、前記第２の受信アンテナを介して前記試験用信号を受信する
請求項３に記載の通信装置。
【請求項５】
前記判断手段は、前記第１の受信アンテナにより受信された前記試験用信号の電力レベル、及び前記第２の受信アンテナにより受信された前記試験用信号の電力レベルに基づいて、前記第２の受信アンテナ及び前記送信アンテナに不具合が生じていないこと、前記第２の受信アンテナに不具合が生じていること、又は前記送信アンテナに不具合が生じていることのいずれかを判断する
請求項４に記載の通信装置。
【請求項６】
前記送信手段は、複数の前記試験用信号を送信し、
前記受信手段は、送信された前記複数の試験用信号それぞれを受信し、
前記判断手段は、受信された前記複数の試験用信号それぞれの電力レベルに基づく、前記所定の閾値との比較結果に基づいて、前記通信装置に不具合が生じているか否かを判断する
請求項１に記載の通信装置。
【請求項７】
前記送信手段により、前記試験用信号が送信されたときから、前記判断手段により、前記通信装置に不具合が生じているか否かが判断されるまでの間に、前記第１の接続手段による前記充電機能部との接続、又は前記第２の接続手段による前記第１の受信アンテナとの接続の少なくとも一方が解除された場合、接続が解除された旨を出力する出力手段をさらに含む
請求項１に記載の通信装置。
【請求項８】
前記判断手段により、前記通信装置に不具合が生じていると判断された場合、その旨をユーザに通知する通知手段をさらに含む
請求項１に記載の通信装置。
【請求項９】
前記判断手段により、前記通信装置に不具合が生じていると判断された場合、他の通信装置との通信に用いる通信用信号、及び前記試験用信号の電力レベルを、より高い電力レベルに設定する設定手段をさらに含む
請求項１に記載の通信装置。
【請求項１０】
無線通信の不具合を自己検出する通信装置の通信方法において、
前記通信装置は、
バッテリと、
第１の接続手段と、
第２の接続手段と、
検出手段と、
送信手段と、
受信手段と、
判断手段と
を含み、
前記検出手段が、充電器に設けられた、バッテリに対して充電を行う充電機能部と接続される第１の接続手段による前記充電機能部との接続、又は前記充電器に設けられた、不具合検出用の試験用信号を受信する第１の受信アンテナと接続される第２の接続手段による前記第１の受信アンテナとの接続の少なくとも一方を検出し、
前記送信手段が、前記検出手段により、前記第１の接続手段による前記充電機能部との接続、又は前記第２の接続手段による前記第１の受信アンテナとの接続の少なくとも一方が検出された場合、前記試験用信号を送信し、
前記受信手段が、送信された前記試験用信号を、前記第１の受信アンテナ及び前記第２の接続手段を介して受信し、
前記判断手段が、受信された前記試験用信号の電力レベルと所定の閾値との比較結果に基づいて、前記通信装置に不具合が生じているか否かを判断する
ステップを含む通信方法。
【請求項１１】
無線通信の不具合を自己検出する通信装置のコンピュータを、
充電器に設けられた、バッテリに対して充電を行う充電機能部と接続される第１の接続手段による前記充電機能部との接続、又は、前記充電器に設けられた、不具合検出用の試験用信号を受信する第１の受信アンテナと接続される第２の接続手段による前記第１の受信アンテナとの接続の少なくとも一方を検出する検出手段と、
前記検出手段により、前記第１の接続手段による前記充電機能部との接続、又は前記第２の接続手段による前記第１の受信アンテナとの接続の少なくとも一方が検出された場合、前記試験用信号を送信する送信手段と、
送信された前記試験用信号を、前記第１の受信アンテナ及び前記第２の接続手段を介して受信する受信手段と、
受信された前記試験用信号の電力レベルと所定の閾値との比較結果に基づいて、前記通信装置に不具合が生じているか否かを判断する判断手段と
して機能させるためのプログラム。
【請求項１２】
無線通信の不具合を自己検出する通信装置と、前記通信装置の充電を行う充電器とにより形成される通信システムにおいて、
前記通信装置は、
給電を行うバッテリと、
充電器に設けられた、前記バッテリに対して充電を行う充電機能手段と接続される第１の接続手段と、
前記充電器に設けられた、不具合検出用の試験用信号を受信する第１の受信アンテナと接続される第２の接続手段と、
前記第１の接続手段による前記充電機能部との接続、又は前記第２の接続手段による前記第１の受信アンテナとの接続の少なくとも一方を検出する検出手段と、
前記検出手段により、前記第１の接続手段による前記充電機能部との接続、又は前記第２の接続手段による前記第１の受信アンテナとの接続の少なくとも一方が検出された場合、前記試験用信号を送信する送信手段と、
送信された前記試験用信号を、前記第１の受信アンテナ及び前記第２の接続手段を介して受信する受信手段と、
受信された前記試験用信号の電力レベルと所定の閾値との比較結果に基づいて、前記通信装置に不具合が生じているか否かを判断する判断手段と
を含み、
前記充電器は、
前記第１の接続手段と接続されたことに対応して、前記バッテリの充電を行う前記充電機能手段と、
前記第２の接続手段と接続される前記第１の受信アンテナと
を含む
通信システム。
【発明の詳細な説明】
【技術分野】
【０００１】
本発明は、通信装置、通信方法、プログラム、及び通信システムに関し、特に、無線通信を行うときに生じる通信装置の不具合を検出する場合に用いて好適な通信装置、通信方法、プログラム、及び通信システムに関する。
【背景技術】
【０００２】
従来、他の通信装置との無線通信を行う通信装置として、例えば携帯電話機等が存在する。
【０００３】
また、携帯電話機を、携帯電話機の充電に用いられる充電置き台に装着させた場合、携帯電話機から充電置き台に、高周波電流が流入することを阻止する回路を設けることにより、高周波電流の流入に起因して、充電置き台に装着された携帯電話機による無線通信性能の劣化を抑止する通信劣化抑止技術が存在する（例えば、特許文献１を参照）。
【先行技術文献】
【特許文献】
【０００４】
【特許文献１】特開２０００−１３４７９号公報
【発明の概要】
【発明が解決しようとする課題】
【０００５】
ところで、従来の携帯電話機は、一旦、ユーザの手元に渡ると、携帯電話機による無線通信を行うための無線通信回路の劣化を容易に確認することができない。
【０００６】
また、従来の通信劣化抑止技術では、携帯電話機を充電置き台に装着した場合に生じ得る無線通信性能の劣化を抑止することはできるものの、やはり、携帯電話機による無線通信を行うための無線通信回路が劣化したことを容易に確認することはできない。
【０００７】
したがって、従来の携帯電話機では、無線通信回路が大幅に劣化した場合でもない限り、ユーザが無線通信回路の劣化に気づくことは困難である。
【０００８】
このため、従来の携帯電話機では、無線通信回路が劣化した不充分な無線環境で、携帯電話機により無線通信が行われる事態が発生し得る。
【０００９】
本発明は、このような状況に鑑みてなされたものであり、携帯電話機等の通信装置による不具合を、容易に検出できるようにするものである。
【課題を解決するための手段】
【００１０】
本発明の第１の側面の通信装置は、無線通信の不具合を自己検出する通信装置において、給電を行うバッテリと、充電器に設けられた、前記バッテリに対して充電を行う充電機能部と接続される第１の接続手段と、前記充電器に設けられた、不具合検出用の試験用信号を受信する第１の受信アンテナと接続される第２の接続手段と、前記第１の接続手段による前記充電機能部との接続、又は前記第２の接続手段による前記第１の受信アンテナとの接続の少なくとも一方を検出する検出手段と、前記検出手段により、前記第１の接続手段による前記充電機能部との接続、又は前記第２の接続手段による前記第１の受信アンテナとの接続の少なくとも一方が検出された場合、前記試験用信号を送信する送信手段と、送信された前記試験用信号を、前記第１の受信アンテナ及び前記第２の接続手段を介して受信する受信手段と、受信された前記試験用信号の電力レベルと所定の閾値との比較結果に基づいて、前記通信装置に不具合が生じているか否かを判断する判断手段とを含む通信装置である。
【００１１】
前記送信手段には、前記試験用信号を送信するための送信アンテナが設けられており、前記送信アンテナは、前記送信アンテナにより送信されて前記第１の受信アンテナに到達したときの前記試験用信号の電力レベルが、前記第１の受信アンテナにより受信可能な電力レベルとなる位置に設ける必要がある。
【００１２】
前記受信手段による前記試験用信号の受信に用いられるアンテナを、前記第２の接続手段に接続される前記第１の受信アンテナに切り替える切り替え手段をさらに設けることができ、前記第２の接続手段には、前記受信手段が、前記切り替え手段を介して接続されており、前記受信手段では、前記切り替え手段により切り替えられた前記第１の受信アンテナを介して前記試験用信号を受信することができる。
【００１３】
前記前記切り替え手段には、前記試験用信号を受信するための第２の受信アンテナが接続されており、前記切り替え手段では、前記受信手段による前記試験用信号の受信に用いられるアンテナを、前記前記第２の接続手段に接続された前記第１の受信アンテナ、又は前記第２の受信アンテナのうちのいずれかに切り替え、前記受信手段では、前記切り替え手段により、前記試験用信号の受信に用いられるアンテナが前記第１の受信アンテナに切り替えられている場合、前記第１の受信アンテナを介して前記試験用信号を受信し、前記切り替え手段により、前記試験用信号の受信に用いられるアンテナが前記第２の受信アンテナに切り替えられている場合、前記第２の受信アンテナを介して前記試験用信号を受信することができる。
【００１４】
前記判断手段では、前記第１の受信アンテナにより受信された前記試験用信号の電力レベル、及び前記第２の受信アンテナにより受信された前記試験用信号の電力レベルに基づいて、前記第２の受信アンテナ及び前記送信アンテナに不具合が生じていないこと、前記第２の受信アンテナに不具合が生じていること、又は前記送信アンテナに不具合が生じていることのいずれかを判断することができる。
【００１５】
前記送信手段では、複数の前記試験用信号を送信し、前記受信手段では、送信された前記複数の試験用信号それぞれを受信し、前記判断手段では、受信された前記複数の試験用信号それぞれの電力レベルに基づく、前記所定の閾値との比較結果に基づいて、前記通信装置に不具合が生じているか否かを判断することができる。
【００１６】
前記送信手段により、前記試験用信号が送信されたときから、前記判断手段により、前記通信装置に不具合が生じているか否かが判断されるまでの間に、前記第１の接続手段による前記充電機能部との接続、又は前記第２の接続手段による前記第１の受信アンテナとの接続の少なくとも一方が解除された場合、接続が解除された旨を出力する出力手段をさらに設けることができる。
【００１７】
前記判断手段により、前記通信装置に不具合が生じていると判断された場合、その旨をユーザに通知する通知手段をさらに設けることができる。
【００１８】
前記判断手段により、前記通信装置に不具合が生じていると判断された場合、他の通信装置との通信に用いる通信用信号、及び前記試験用信号の電力レベルを、より高い電力レベルに設定する設定手段をさらに設けることができる。
【００１９】
本発明の第１の側面の通信方法は、無線通信の不具合を自己検出する通信装置の通信方法であって、前記通信装置は、バッテリと、第１の接続手段と、第２の接続手段と、検出手段と、送信手段と、受信手段と、判断手段とを含み、前記検出手段が、充電器に設けられた、バッテリに対して充電を行う充電機能部と接続される第１の接続手段による前記充電機能部との接続、又は前記充電器に設けられた、不具合検出用の試験用信号を受信する第１の受信アンテナと接続される第２の接続手段による前記第１の受信アンテナとの接続の少なくとも一方を検出し、前記送信手段が、前記検出手段により、前記第１の接続手段による前記充電機能部との接続、又は前記第２の接続手段による前記第１の受信アンテナとの接続の少なくとも一方が検出された場合、前記試験用信号を送信し、前記受信手段が、送信された前記試験用信号を、前記第１の受信アンテナ及び前記第２の接続手段を介して受信し、前記判断手段が、受信された前記試験用信号の電力レベルと所定の閾値との比較結果に基づいて、前記通信装置に不具合が生じているか否かを判断するステップを含む通信方法である。
【００２０】
本発明の第１の側面のプログラムは、無線通信の不具合を自己検出する通信装置のコンピュータを、充電器に設けられた、バッテリに対して充電を行う充電機能部と接続される第１の接続手段による前記充電機能部との接続、又は、前記充電器に設けられた、不具合検出用の試験用信号を受信する第１の受信アンテナと接続される第２の接続手段による前記第１の受信アンテナとの接続の少なくとも一方を検出する検出手段と、前記検出手段により、前記第１の接続手段による前記充電機能部との接続、又は前記第２の接続手段による前記第１の受信アンテナとの接続の少なくとも一方が検出された場合、前記試験用信号を送信する送信手段と、送信された前記試験用信号を、前記第１の受信アンテナ及び前記第２の接続手段を介して受信する受信手段と、受信された前記試験用信号の電力レベルと所定の閾値との比較結果に基づいて、前記通信装置に不具合が生じているか否かを判断する判断手段として機能させるためのプログラムである。
【００２１】
本発明の第１の側面によれば、前記充電機能部との接続、又は前記第１の受信アンテナとの接続の少なくとも一方が検出された場合、前記試験用信号が送信され、送信された前記試験用信号が、前記第１の受信アンテナを介して受信され、受信された前記試験用信号の電力レベルと所定の閾値との比較結果に基づいて、前記通信装置に不具合が生じているか否かが判断される。
【００２２】
本発明の第２の側面の通信システムは、無線通信の不具合を自己検出する通信装置と、前記通信装置の充電を行う充電器とにより形成される通信システムであって、前記通信装置は、給電を行うバッテリと、充電器に設けられた、前記バッテリに対して充電を行う充電機能手段と接続される第１の接続手段と、前記充電器に設けられた、不具合検出用の試験用信号を受信する第１の受信アンテナと接続される第２の接続手段と、前記第１の接続手段による前記充電機能部との接続、又は前記第２の接続手段による前記第１の受信アンテナとの接続の少なくとも一方を検出する検出手段と、前記検出手段により、前記第１の接続手段による前記充電機能部との接続、又は前記第２の接続手段による前記第１の受信アンテナとの接続の少なくとも一方が検出された場合、前記試験用信号を送信する送信手段と、送信された前記試験用信号を、前記第１の受信アンテナ及び前記第２の接続手段を介して受信する受信手段と、受信された前記試験用信号の電力レベルと所定の閾値との比較結果に基づいて、前記通信装置に不具合が生じているか否かを判断する判断手段とを含み、前記充電器は、前記第１の接続手段と接続されたことに対応して、前記バッテリの充電を行う前記充電機能手段と、前記第２の接続手段と接続される前記第１の受信アンテナとを含む通信システムである。
【００２３】
本発明の第２の側面によれば、通信装置では、前記充電機能部との接続、又は前記第１の受信アンテナとの接続の少なくとも一方が検出された場合、前記試験用信号が送信され、送信された前記試験用信号が、前記第１の受信アンテナを介して受信され、受信された前記試験用信号の電力レベルと所定の閾値との比較結果に基づいて、前記通信装置に不具合が生じているか否かが判断される。また、充電器では、前記通信装置と接続されたことに対応して、前記バッテリの充電が行われ、前記試験用信号が送信されたことに対応して、第１の受信アンテナにより前記試験用信号の受信が行われる。
【発明の効果】
【００２４】
本発明によれば、通信装置による不具合を、容易に検出できる。
【図面の簡単な説明】
【００２５】
【図１】ダイバーシティ機能付きの携帯電話機の不具合を検出する場合の構成例を示すブロック図である。
【図２】送受信アンテナと受信アンテナとの位置を示す図である。
【図３】不具合検出処理を説明するためのフローチャートである。
【図４】チューナブルフィルタを設けた受信回路の構成例を示すブロック図である。
【図５】充電置き台に不具合の検出を行わせる場合の構成例を示すブロック図である。
【図６】ダイバーシティ機能の付いてない携帯電話機の不具合を検出する場合の構成例を示すブロック図である。
【図７】携帯電話機に設けられた複数のアンテナのうち、不具合が生じているアンテナを検出する場合の構成例を示すブロック図である。
【図８】アンテナ不具合検出処理を説明するためのフローチャートである。
【図９】コンピュータの構成例を示すブロック図である。
【発明を実施するための形態】
【００２６】
以下、発明を実施するための形態（以下、実施の形態という）について説明する。なお、説明は以下の順序で行う。
１．  第１の実施の形態（携帯電話機の不具合を検出する例）
２．  第２の実施の形態（不具合が生じているアンテナを検出する例）
３．  変形例
【００２７】
＜１．第１の実施の形態＞
[充電システム１の構成例]
図１は、第１の実施の形態である充電システム１の構成例を示している。
【００２８】
この充電システム１は、ダイバーシティ機能付きの携帯電話機２１、及び携帯電話機２１を着脱可能な充電置き台２２により構成される。なお、充電システム１は、携帯電話機２１の充電を行うために、携帯電話機２１を充電置き台２２に装着（セット）したときに形成される。
【００２９】
携帯電話機２１は、制御部４１、メモリ４２、記憶部４３、電源部４４、接続部４５、通信処理部４６、同軸コネクタ４７、送受信アンテナ４８、及び受信アンテナ４９により構成される。
【００３０】
制御部４１は、記憶部４３に保持されているプログラムを実行することにより、所定の処理を行う。
【００３１】
すなわち、例えば、制御部４１は、携帯電話機２１が充電置き台２２に装着されたことに対応して、携帯電話機２１の無線通信に用いられる回路等に不具合が生じているか否かを試験するために用いられる試験用信号を生成し、通信処理部４６に供給する。
【００３２】
また、制御部４１は、通信処理部４６からの、後述する充電置き台２２の受信アンテナ８３により受信された試験用信号の電力レベル（の絶対値）を取得（検出）し、取得した電力レベルに基づいて、携帯電話機２１に不具合が生じていないか否かを判断する。
【００３３】
そして、制御部４１は、携帯電話機２１に不具合が生じていると判断した場合、例えば、図示せぬLCD（liquid crystal display）又はLED（light emitting diode）等を用いて、ユーザにその旨を通知する。
【００３４】
さらに、制御部４１は、送受信アンテナ４８により受信して通信処理部４６から供給される受信信号、及び受信アンテナ４９により受信して通信処理部４６から供給される受信信号のうち、例えば電力レベルの大きい受信信号を選択し、選択した受信信号に基づく処理を行う。
【００３５】
制御部４１は、通信処理部４６等を制御する。
【００３６】
メモリ４２は、RAM(random access memory)等であり、制御部４１が行う処理に用いられるデータ等を一時的に保持する。
【００３７】
記憶部４３は、例えばEEPROM（electrically erasable and programmable read only memory）等であり、制御部４１が所定の処理を行うために用いられるプログラム等を予め保持している。
【００３８】
また、記憶部４３は、携帯電話機２１に不具合が生じているか否かを判断するために行われる不具合検出処理において参照される第１の閾値を予め保持している。なお、不具合検出処理の詳細は図３を参照して後述する。
【００３９】
また、第１の閾値は、携帯電話機２１の工場出荷時に、携帯電話機２１を充電置き台２２に装着して充電システム１を形成し、送受信アンテナ４８から試験用信号を送信して、充電置き台２２に設けられた後述する受信アンテナ８３により受信される試験用信号の電力レベルに基づいて決定される。
【００４０】
電源部４４は、給電を行うバッテリ等により構成されており、制御部４１、メモリ４２、記憶部４３、及び通信処理部４６に適宜、必要な電力を供給する。
【００４１】
また、電源部４４は、接続部４５からの電力の給電により充電される。
【００４２】
接続部４５は、電源部４４を充電するために、充電置き台２２（の充電機能部８１）と接続される接続端子である。接続部４５は、充電置き台２２と接続された場合、充電置き台２２からの電力を電源部４４に給電する。
【００４３】
通信処理部４６は、送受信アンテナ４８及び受信アンテナ４９を用いて、基地局と無線通信を行う。
【００４４】
また、通信処理部４６は、携帯電話機２１が充電置き台２２に装着されたことに対応して、制御部４１から供給される試験用信号を、送受信アンテナ４８から送信する。
【００４５】
さらに、通信処理部４６は、充電置き台２２により受信される試験用信号の電力レベル（を表す値）を制御部４１に供給する。
【００４６】
通信処理部４６は、送信回路６１、受信回路６２、アンテナスイッチ６３、及び
受信回路６４により構成される。
【００４７】
送信回路６１には、制御部４１から試験用信号が供給される。送信回路６１は、制御部４１からの試験用信号に対して、変調等の処理を行い、処理後の試験用信号をアンテナスイッチ６３に供給する。
【００４８】
受信回路６２は、アンテナスイッチ６３からの受信信号に対して、復調等の処理を行い、処理後の受信信号を制御部４１に供給する。
【００４９】
アンテナスイッチ６３は、制御部４１の制御にしたがって、送信回路６１又は受信回路６２の一方と、送受信アンテナ４８とを相互に接続する。
【００５０】
また、アンテナスイッチ６３は、送信回路６１と送受信アンテナ４８とを相互に接続している場合に送信回路６１から供給される試験用信号を、送受信アンテナ４８から送信させる。
【００５１】
さらに、アンテナスイッチ６３は、受信回路６２と送受信アンテナ４８とを相互に接続している場合に送受信アンテナ４８から供給される受信信号を、受信回路６２に供給する。
【００５２】
受信回路６４は、受信アンテナ４９からの受信信号に対して、復調等の処理を行い、処理後の受信信号を制御部４１に供給する。
【００５３】
また、受信回路６４は、充電置き台２２（の受信アンテナ８３）からの試験用信号を、後述する同軸コネクタ８２及び同軸コネクタ４７を介して受信し、受信した試験用信号に対して、復調等の処理を行う。そして、受信回路６４は、処理後の試験用信号を制御部４１に供給する。
【００５４】
同軸コネクタ４７の一端は、充電置き台２２の同軸コネクタ８２の一端と接続されるように構成されている。
【００５５】
同軸コネクタ４７の他端には、受信回路６４に接続される切替スイッチが設けられている。切替スイッチは、同軸コネクタ４７の一端に、同軸コネクタ８２の一端が接続される場合、受信回路６４と同軸コネクタ４７の一端とを接続する。
【００５６】
同軸コネクタ４７は、同軸コネクタ４７の一端に、同軸コネクタ８２の一端が接続されている場合、同軸コネクタ４７の一端に接続される同軸コネクタ８２からの試験用信号を、同軸コネクタ４７の他端に設けられた切替スイッチを介して受信回路６４に供給する。
【００５７】
また、切替スイッチは、同軸コネクタ４７の一端に、同軸コネクタ８２の一端が接続されていない場合、受信回路６４と受信アンテナ４９とを接続する。
【００５８】
なお、同軸コネクタ４７は、携帯電話機２１を製造する製造工場等において、携帯電話機２１の設定を調整したり、携帯電話機２１の動作を検査するために、一般的に設けられているものであり、本発明を実施するために新たに設けられたものではない。
【００５９】
送受信アンテナ４８は、アンテナスイッチ６３からの試験用信号を、電波として送信させる。また、送受信アンテナ４８は、基地局から送信される電波を受信し、受信信号として、アンテナスイッチ６３に供給する。
【００６０】
なお、送受信アンテナ４８、後述する受信アンテナ４９、及び充電置き台２２に設けられた受信アンテナ８３は、同一の周波数帯域により電波を送受信する。
【００６１】
受信アンテナ４９は、基地局から送信される電波として、送受信アンテナ４８が受信する電波と同様の電波を受信し、受信信号として受信回路６４に供給する。
【００６２】
充電置き台２２は、携帯電話機２１を充電するために用いられるものであり、充電機能部８１、同軸コネクタ８２、及び受信アンテナ８３により構成される。
【００６３】
充電機能部８１は、接続部４５と接続され、接続部４５を介して電源部４４に電力の給電を行う。
【００６４】
同軸コネクタ８２の一端は、同軸コネクタ４７の一端と接続されるように構成されている。また、同軸コネクタ８２の他端は、受信アンテナ８３と接続されている。
【００６５】
同軸コネクタ８２は、同軸コネクタ８２の他端に接続される受信アンテナ８３からの試験用信号を、同軸コネクタ８２の一端に接続される同軸コネクタ４７に供給する。
【００６６】
受信アンテナ８３は、例えば、送受信アンテナ４８からの試験用信号等の電波を受信し、受信した試験用信号を同軸コネクタ８２に供給する。
【００６７】
なお、携帯電話機２１が充電置き台２２に装着された場合、受信アンテナ８３は、携帯電話機２１の送受信アンテナ４８からの試験用信号を受信することが可能な位置に固定される。送受信アンテナ４８と受信アンテナ８３との位置関係は、後述する図２を参照して説明する。
【００６８】
また、上述したように、同軸コネクタ４７の一端に、同軸コネクタ８２の一端が接続される場合に、同軸コネクタ４７の他端に設けられた切替スイッチが切替えられる。これにより、受信回路６４と受信アンテナ４９との接続が解除されて、受信回路６４と同軸コネクタ４７の一端とが接続される。
【００６９】
したがって、携帯電話機２１が充電置き台２２に装着されたことに対応して、送受信アンテナ４８から試験用信号が送信された場合、受信回路６４には、充電置き台２２の受信アンテナ８３により受信される試験用信号のみが供給される。
【００７０】
これにより、受信回路６４では、試験用信号が受信アンテナ４９においても受信されて供給されることに起因して、充電置き台２２の受信アンテナ８３により受信されて供給される試験用信号の電力レベルが変化することを防止できる。
【００７１】
[送受信アンテナ４８と受信アンテナ８３との位置関係]
次に、図２を参照して、送受信アンテナ４８と受信アンテナ８３との位置関係を説明する。
【００７２】
なお、図２Aでは、図面が煩雑になるのを避けるために、送受信アンテナ４８と送信回路６１との間に設けられたアンテナスイッチ６３と、受信アンテナ８３と受信回路６４との間に設けられた同軸コネクタ４７及び８２の図示は省略している。
【００７３】
また、図２Aにおいて、空間伝播損失Lとは、試験用信号が、送受信アンテナ４８から受信アンテナ８３に伝播（到達）するまでに減衰される、試験用信号の電力レベル（の損失分）を表す。
【００７４】
さらに、図２Bにおいて、電力レベルの範囲DRtxは、送受信アンテナ４８（送信回路６１）により送信可能な試験用信号の電力レベルの範囲を表す。
【００７５】
また、電力レベルの範囲DRrxは、受信アンテナ８３（受信回路６４）により受信可能な試験用信号の電力レベルの範囲を表す。
【００７６】
携帯電話機２１が充電置き台２２に装着された場合、送受信アンテナ４８と受信アンテナ８３とは、送受信アンテナ４８から送信される試験用信号を、受信アンテナ８３により受信可能となる位置で固定される必要がある。
【００７７】
このため、送受信アンテナ４８から送信される試験用信号の電力レベルtx(txは範囲DRtxの範囲に含まれる値)から、空間伝播損失Lを差し引いて得られる電力レベルtx-Lが、受信アンテナ８３により受信可能な試験用信号の電力レベルの範囲DRrxに含まれるように、送受信アンテナ４８と受信アンテナ８３とは固定されるようになっている。
【００７８】
[不具合検出処理による動作説明]
次に、携帯電話機２１から送信される試験用信号を受信したときの電力レベルを検出し、検出した電力レベルに応じて、携帯電話機２１に不具合が生じているか否かを判断する不具合検出処理を説明する。
【００７９】
図３は、携帯電話機２１が行う不具合検出処理を説明するためのフローチャートである。なお、この不具合検出処理は、例えば、携帯電話機２１が充電置き台２２に装着されたときに開始される。
【００８０】
すなわち、ステップＳ１において、制御部４１は、電源部４４を監視し、接続部４５と充電機能部８１とが接続されたことにより電源部４４に対する充電（給電）が開始されたか否かを判定する。ステップＳ１では、制御部４１により、充電が開始された（接続部４５と充電機能部８１とが接続された）と判定するまで待って、処理はステップＳ２に進められる。
【００８１】
なお、ステップＳ１では、制御部４１が、同軸コネクタ４７と同軸コネクタ８２とが接続されたか否かを判定し、接続されたと判定しことに対応して、処理はステップＳ１からステップＳ２に進められるようにすることが可能である。
【００８２】
また、制御部４１が、接続部４５と充電機能部８１との接続、及び同軸コネクタ４７と同軸コネクタ８２との接続の両方を判定し、両方とも接続されたと判定した場合に、処理はステップＳ１からステップＳ２に進められるようにしてもよい。
【００８３】
ステップＳ２において、制御部４１は、試験用信号を生成し、通信処理部４６の送信回路６１に供給する。
【００８４】
送信回路６１は、制御部４１からの試験用信号に対して、変調等の処理を行い、処理後の試験用信号をアンテナスイッチ６３に供給する。
【００８５】
アンテナスイッチ６３は、送信回路６１からの試験用信号を、送受信アンテナ４８に供給して送信させる。なお、アンテナスイッチ６３は、制御部４１の制御により、送信回路６１及び受信回路６２のうちの送信回路６１と接続されている。
【００８６】
これに対応して、充電置き台２２の受信アンテナ８３は、送受信アンテナ４８から送信された試験用信号を受信し、同軸コネクタ８２及び同軸コネクタ４７を介して、携帯電話機２１の受信回路６４に供給する。
【００８７】
ステップＳ３では、受信回路６４は、送受信アンテナ４８からの試験用信号を、受信アンテナ８３、同軸コネクタ８２及び同軸コネクタ４７を介して受信し、受信した試験用信号に対して、復調等の処理を行う。そして、受信回路６４は、処理後の試験用信号を制御部４１に供給する。
【００８８】
ステップＳ４において、制御部４１は、受信回路６４からの試験用信号の電力レベルを取得（検出）する。そして、ステップＳ５において、制御部４１は、取得した電力レベルと、記憶部４３に予め保持されている第１の閾値とを比較する。
【００８９】
ステップＳ６において、制御部４１は、ステップＳ５の処理による比較結果に基づいて、受信回路６４からの試験用信号の電力レベルが第１の閾値以上であるか否か、すなわち、受信回路６４からの試験用信号の電力レベルが、工場出荷時と同様であるか否かを判定する。
【００９０】
ステップＳ６において、制御部４１は、ステップＳ５の処理による比較結果に基づいて、受信回路６４からの試験用信号の電力レベルが第１の閾値以上であると判定した場合、受信回路６４からの試験用信号の電力レベルは、工場出荷時と同様であるため、処理は終了される。
【００９１】
また、ステップＳ６において、制御部４１は、ステップＳ５の処理による比較結果に基づいて、受信回路６４からの試験用信号の電力レベルが第１の閾値以上でないと判定した場合、受信回路６４からの試験用信号の電力レベルは、工場出荷時とは異なり大きく低下しているため、処理はステップＳ７に進められる。
【００９２】
そして、制御部４１は、試験用信号を送信する送信側（送信回路６１及び送受信アンテナ４８等）、及び試験用信号を受信する受信側（受信回路６４等）の少なくとも一方に不具合が生じていることを検出し、その旨を、携帯電話機２１に設けられたLCDやLED等（図示せず）を用いてユーザに通知する。以上で不具合検出処理は終了される。
【００９３】
また、不具合検出処理が行われている最中に、携帯電話機２１が充電置き台２２から脱着された（外された）場合、すなわち、接続部４５と充電機能部８１との接続、又は同軸コネクタ４７と同軸コネクタ８２との接続の少なくとも一方の接続が解除された場合には、制御部４１の制御により、その旨を示す警告音等を出力して処理は終了される。
【００９４】
なお、ステップＳ６において、受信回路６４からの試験用信号の電力レベルが工場出荷時と同様ではないと判定される場合（第１の閾値未満となる場合）、次の３つの場合が考えられる。
【００９５】
まず、受信側に不具合は生じていないが、送信側に不具合が生じている場合が考えられる。この場合、送信側に不具合が生じていることに起因して、送受信アンテナ４８から送信される試験用信号の電力レベルは低下する。このため、充電置き台２２の受信アンテナ８３により受信される試験用信号の電力レベルについても低下し、充電置き台２２の受信アンテナ８３により受信される試験用信号の電力レベルは、第１の閾値未満となる。
【００９６】
次に、送信側に不具合は生じていないが、受信側に不具合が生じている場合が考えられる。この場合、受信側に不具合が生じていることに起因して、受信アンテナ８３により受信される試験用信号の電力レベルは低下する。このため、充電置き台２２の受信アンテナ８３により受信される試験用信号の電力レベルは、第１の閾値未満となる。
【００９７】
さらに、送信側及び受信側の両方に不具合が生じている場合が考えられる。この場合、送信側及び受信側に不具合が生じていることに起因して、やはり、充電置き台２２の受信アンテナ８３により受信される試験用信号の電力レベルは、第１の閾値未満となる。
【００９８】
したがって、ステップＳ６において、制御部４１が、受信回路６４からの試験用信号の電力レベルが第１の閾値以上でないと判定した場合、ステップＳ７では、試験用信号を送信する送信側、及び試験用信号を受信する受信側の少なくとも一方に不具合が生じていることを検出することが可能となる。
【００９９】
以上説明したように、不具合検出処理では、携帯電話機２１が充電置き台２２に装着されたことに対応して、送信回路６１が、アンテナスイッチ６３を介して送受信アンテナ４８から試験用信号を送信し、受信回路６４が、受信アンテナ８３、同軸コネクタ８２、及び同軸コネクタ４７を介して試験用信号を受信し、制御部４１が、受信した試験用信号の電力レベルに基づいて、携帯電話機２１に不具合が生じているか否かを判断するようにした。
【０１００】
したがって、不具合検出処理では、例えば、携帯電話機２１を充電置き台２２に装着するだけで、携帯電話機２１の不具合を容易に検出できる。
【０１０１】
なお、携帯電話機２１には不具合が生じておらず、充電置き台２２の受信アンテナ８３にのみ不具合が生じている場合にも、受信アンテナ８３により受信される試験用信号の電力レベルは低下するため、ステップＳ７において携帯電話機２１に不具合が生じていると判断されてしまう。
【０１０２】
しかしながら、充電置き台２２は、携帯電話機２１と比較して、簡易な構成であるとともに使用頻度も少ないため、充電置き台２２の受信アンテナ８３には不具合が生じていないと（殆ど）みなすことができる。
【０１０３】
このため、不具合検出処理では、ステップＳ７において不具合が検出された場合、携帯電話機２１に不具合が生じているといえる。
【０１０４】
また、携帯電話機２１に設けられている同軸コネクタ４７は、一般的な携帯電話機に通常設けられているものであり、不具合検出処理を行うために新たに設けられたものではない。したがって、携帯電話機２１では、新たな部品を追加することなく、不具合検出処理を行うことが可能となる。
【０１０５】
したがって、不具合検出処理を実行するために、新たに部品を追加する等のコストが発生することを防止できる。
【０１０６】
また、不具合検出処理が行われている最中に、携帯電話機２１が充電置き台２２から脱着された（外された）場合、警告音等を出力して不具合検出処理を終了するようにしたが、その他、基地局からの受信信号が、受信アンテナ４９により受信され受信回路６４に供給された場合にも、不具合検出処理を終了させるようにしてもよい。
【０１０７】
この場合、受信回路６４において、受信アンテナ４９からの受信信号に起因して、充電置き台２２の受信アンテナ８３により受信されて供給される試験用信号の電力レベルが変化してしまうことにより、携帯電話機２１の不具合を誤って検出すること等を防止することが可能となる。
【０１０８】
第１の実施の形態では、試験用信号等の送受信に用いる電波として、同一の周波数帯域による電波を用いるようにしたが、例えばCDMA（code division multiple access）方式による無線通信のように、送受信で異なる周波数帯域を用いる場合にも、本発明を適用することが可能である。
【０１０９】
ところで、送受信で異なる周波数帯域を用いる場合に、そのまま本発明を適用すると、携帯電話機２１の受信回路６４に内蔵の、一定の周波数帯域をフィルタリング（遮断）するフィルタリング回路により、同軸コネクタ４７からの試験用信号の周波数帯域がフィルタリングされることにより、試験用信号の電力レベルが低下してしまう可能性がある。
【０１１０】
そこで、CDMA方式による無線通信のように、送受信で異なる周波数帯域を用いる場合に本発明を適用するときには、同軸コネクタ４７から受信回路６４に供給される試験用信号を、受信回路６４に内蔵のフィルタリング回路に供給せずに、フィルタリング回路をバイパス（迂回）させるように構成することにより、本発明を適用できる。
【０１１１】
また、受信回路６４に、同軸コネクタ４７等からの試験用信号（RF信号）が受信回路６４を通過できるように調整されたチューナブルフィルタを追加して構成することにより、やはり、本発明を適用することが可能となる。
【０１１２】
[チューナブルフィルタが設けられた受信回路６４の構成例]
次に、図４は、一般的な受信回路にチューナブルフィルタが設けられた受信回路６４の構成例を示している。
【０１１３】
受信回路６４は、トップフィルタ１０１、LNA（low noise amplifier、低雑音増幅器）１０２、インターナルフィルタ１０３、VCO(voltage controlled oscillator、電圧制御発振器)１０４、ミキサ（mixer、混合器）１０５、LPF（low pass filter）１０６及びアンプリファイア（amp）１０７により構成される。
【０１１４】
トップフィルタ１０１には、同軸コネクタ４７から試験用信号のRF信号が供給される。トップフィルタ１０１は、チューナブルフィルタであり、同軸コネクタ４７からのRF信号を、LNA１０２に供給する。なお、トップフィルタ１０１は、同軸コネクタ４７からのRF信号を通過させることができるように調整されている。
【０１１５】
LNA１０２は、入力されたRF信号を低雑音で増幅し、インターナルフィルタ１０３に供給する。
【０１１６】
インターナルフィルタ１０３は、チューナブルフィルタであり、LNA１０２からのRF信号を、ミキサ１０５に供給する。なお、インターナルフィルタ１０３は、LNA１０２からのRF信号を通過させることができるように調整されている。
【０１１７】
VCO１０４は、インターナルフィルタ１０３からミキサ１０５に供給されるRF信号から、所定の信号を抽出するために、その信号に応じた周波数の信号を発振し、ミキサ１０５に供給する。
【０１１８】
ミキサ１０５は、インターナルフィルタ１０３から供給されるRF信号と、VCO１０４から供給される信号を乗算（ミキシング）することにより、RF信号をBB(ベースバンド)信号に変換して、LPF１０６に供給する。
【０１１９】
LPF１０６は、ミキサ１０５から供給されるBB信号から不要な高周波成分を除去し、アンプリファイア１０７に供給する。
【０１２０】
アンプリファイア１０７は、LPF１０６から供給されるBB信号を、所定の振幅の信号となるように増幅し、増幅後のBB信号を、制御部４１に供給する。
【０１２１】
また、CDMA方式による無線通信を用いる場合の他、FDD（frequency division duplex）方式による無線通信を用いる場合についても同様に、本発明を適用することが可能である。この場合、図４に示されたような回路が必要となる。
【０１２２】
また、第１の実施の形態では、携帯電話機２１が、携帯電話機２１に不具合が生じているか否かを判断するようにしたが、図５を参照して説明するように、携帯電話機１４１に代えて、充電置き台１４２が、携帯電話機１４１に不具合が生じているか否かを判断するように構成することが可能である。
【０１２３】
[充電システム１２１の構成例]
次に、図５は、充電置き台１４２により、携帯電話機１４１に不具合が生じているか否かを判断させる場合の充電システム１２１の一例を示している。
【０１２４】
この充電システム１２１は、携帯電話機１４１及び充電置き台１４２により構成されている。
【０１２５】
なお、携帯電話機１４１は、携帯電話機２１の制御部４１に代えて制御部１６１が設けられている他は同様に構成されており、同様に構成される部分については同一の符号を付しているため、それらの説明は以下省略する。
【０１２６】
制御部１６１は、携帯電話機１４１が充電置き台１４２に装着されたことに対応して、試験用信号を生成し、送信回路６１及びアンテナスイッチ６３を介して送受信アンテナ４８から試験用信号を送信させる。
【０１２７】
また、制御部１６１は、試験用信号を送信したことに応じて、充電置き台１４２から、携帯電話機１４１に不具合が生じているか否かの判断結果が供給される。
【０１２８】
制御部１６１は、充電置き台１４２からの判断結果が、携帯電話機１４１に不具合が生じているとの判断結果である場合、その旨を、携帯電話機１４１のLCDやLED等（いずれも図示せず）を用いてユーザに通知する。
【０１２９】
充電置き台１４２は、送受信アンテナ４８からの試験用信号に基づいて、携帯電話機１４１に不具合が生じているか否かを判断する。
【０１３０】
充電置き台１４２は、制御部１８１、メモリ１８２、充電機能部１８３、記憶部１８４、電源部１８５、受信回路１８６及び受信アンテナ１８７により構成されている。
【０１３１】
制御部１８１は、図１の携帯電話機２１における制御部４１と同様にして、受信回路１８６からの試験用信号の電力レベルを取得（検出）する。そして、制御部１８１は、取得した電力レベルに基づいて、携帯電話機１４１に不具合が生じているか否かを判断し、その判断結果を、携帯電話機１４１の制御部１６１に供給する。
【０１３２】
なお、制御部１８１は、受信回路１８６からの試験用信号の電力レベルを取得し、取得した電力レベルに基づいて、携帯電話機１４１に不具合が生じているか否かを判断して、不具合が生じていると判断した場合には、その旨を、充電置き台１４２に設けられたLED等（図示せず）により、ユーザに通知するようにしてもよい。
【０１３３】
メモリ１８２は、制御部１８１が行う処理に用いられるデータ等を一時的に保持する。
【０１３４】
充電機能部１８３は、図１の充電機能部８１と同様に構成される。
【０１３５】
記憶部１８４は、制御部１８１が所定の処理を行うために用いられるプログラム等や、携帯電話機１４１に不具合が生じているか否かを判断するために用いられる第１の閾値を予め保持している。
【０１３６】
なお、記憶部１８４には、第１の閾値を予め保持しておくようにしたが、携帯電話機１４１毎に第１の閾値が異なる場合には、第１の閾値を携帯電話機１４１から取得するようにし、制御部１８１において、取得した第１の閾値を用いて、携帯電話機１４１に不具合が生じているか否かを判断するように構成してもよい。
【０１３７】
電源部１８５は、制御部１８１、メモリ１８２、充電機能部１８３、記憶部１８４、及び受信回路１８６等に、必要な電力を給電する。
【０１３８】
受信回路１８６は、受信アンテナ１８７からの試験用信号に対して、復調等の処理を行う。そして、受信回路１８６は、処理後の試験用信号を、制御部１８１に供給する。
【０１３９】
受信アンテナ１８７は、例えば携帯電話機１４１の送受信アンテナ４８から送信される試験用信号を電波として受信し、受信回路１８６に供給する。
【０１４０】
第１の実施の形態では、送受信アンテナ４８及び受信アンテナ４９を有するダイバーシティ機能付きの携帯電話機２１による不具合を検出することを説明したが、図６に示すように、ダイバーシティ機能の付いてない携帯電話機２４１についても不具合検出処理を行うことが可能である。
【０１４１】
[充電システム２２１の構成例]
次に、図６は、ダイバーシティ機能の付いてない携帯電話機２４１と充電置き台２２とにより構成される充電システム２２１の一例を示している。
【０１４２】
なお、第１の実施の形態である充電システム１と同様に構成されている部分については同一の符号を付しているため、その説明は以下省略する。
【０１４３】
すなわち、この充電システム２２１は、携帯電話機２４１において、図１の通信処理部４６及び受信アンテナ４９に代えて、通信処理部２６１が設けられている。
【０１４４】
また、通信処理部２６１は、図１の通信処理部４６の受信回路６２及びアンテナスイッチ６３に代えてアンテナスイッチ２８１が設けられているとともに、SPDT（single pole dual throw）スイッチ２８２が新たに設けられている他は、充電システム１と同様に構成される。
【０１４５】
アンテナスイッチ２８１は、例えば、送受信アンテナ４８から試験用信号を送信する場合、送信回路６１と送受信アンテナ４８とを相互に接続する。
【０１４６】
また、アンテナスイッチ２８１は、基地局からの受信信号を送受信アンテナ４８により受信する場合、SPDTスイッチ２８２と送受信アンテナ４８とを相互に接続する。
【０１４７】
SPDTスイッチ２８２は、送受信アンテナ４８により受信信号を受信する場合、アンテナスイッチ２８１と受信回路６４とを相互に接続する。
【０１４８】
また、SPDTスイッチ２８２は、送受信アンテナ４８からの試験用信号を、充電置き台２２の受信アンテナ８３により受信する場合、同軸コネクタ４７と受信回路６４とを相互に接続する。
【０１４９】
充電システム２２１では、アンテナスイッチ２８１により、送信回路６１と送受信アンテナ４８とが接続され、SPDTスイッチ２８２により、同軸コネクタ４７と受信回路６４とが接続されている場合、上述した不具合検出処理が行われる。
【０１５０】
＜２．第２の実施の形態＞
[充電システム３０１の構成例]
次に、図７は、第２の実施の形態として、携帯電話機３２１及び充電置き台２２により構成される充電システム３０１の構成例を示している。
【０１５１】
なお、この充電システム３０１は、第１の実施の形態である充電システム１と同様に構成されている部分については同一の符号を付している。
【０１５２】
すなわち、この充電システム３０１は、携帯電話機３２１において、図１の制御部４１、記憶部４３、及び通信処理部４６に代えて、制御部３４１、記憶部３４２及び通信処理部３４３が設けられている他は、第１の実施の形態である充電システム１と同様に構成される。
【０１５３】
制御部３４１は、例えば、送受信アンテナ４８及び受信アンテナ４９のうち、不具合が生じているアンテナを検出するアンテナ不具合検出処理（図８において後述する）の開始を指示するユーザの指示操作に応じて、試験用信号を生成し、通信処理部３４３に供給する。
【０１５４】
また、制御部３４１は、受信アンテナ４９により受信されて通信処理部３４３から供給される試験用信号の電力レベルと、受信アンテナ８３により受信されて同軸コネクタ８２、同軸コネクタ４７及び通信処理部３４３を介して供給される試験用信号の電力レベルとに基づいて、送受信アンテナ４８及び受信アンテナ４９のうち、不具合が生じているアンテナを検出する。
【０１５５】
なお、充電システム３０１において、受信アンテナ４９は、送受信アンテナ４８からの試験用信号を受信することができる携帯電話機３２１上の位置に配置されている。
【０１５６】
さらに、制御部３４１は、通信処理部３４３等を制御する。
【０１５７】
記憶部３４２は、制御部３４１が所定の処理を実行するためのプログラムを予め保持する。また、記憶部３４２は、アンテナ不具合検出処理において参照される第２の閾値、及び第３の閾値を予め保持している。
【０１５８】
なお、第２の閾値は、携帯電話機３２１の工場出荷時に、携帯電話機３２１を充電置き台２２に装着して充電システム３０１を形成し、充電置き台２２に設けられた受信アンテナ８３により受信される試験用信号の電力レベルに基づいて決定される。
【０１５９】
また、第３の閾値は、携帯電話機３２１の工場出荷時に、携帯電話機３２１を充電置き台２２に装着して充電システム３０１を形成し、受信アンテナ４９により受信される試験用信号の電力レベルに基づいて決定される。
【０１６０】
通信処理部３４３は、制御部３４１からの試験用信号を、送受信アンテナ４８から送信させる。
【０１６１】
また、通信処理部３４３は、受信アンテナ４９により受信される試験用信号を、制御部３４１に供給する。
【０１６２】
さらに、通信処理部３４３は、受信アンテナ８３により受信され、同軸コネクタ８２及び同軸コネクタ４７を介して供給される試験用信号を、制御部３４１に供給する。
【０１６３】
通信処理部３４３は、図１の通信処理部４６の受信回路６２及びアンテナスイッチ６３に代えて、アンテナスイッチ３６１が設けられているとともに、SP3T（single pole three throw）スイッチ３６２が設けられている他は同様に構成されている。同様に構成されている部分の説明は省略する。
【０１６４】
アンテナスイッチ３６１は、制御部３４１の制御にしたがって、送信回路６１と送受信アンテナ４８とを接続する。また、アンテナスイッチ３６１は、制御部３４１の制御にしたがって、送受信アンテナ４８とSP3Tスイッチ３６２とを接続する。
【０１６５】
アンテナスイッチ３６１により、送信回路６１と送受信アンテナ４８とが接続されている場合、アンテナスイッチ３６１には、送信回路６１から試験用信号が供給される。アンテナスイッチ３６１は、送信回路６１からの試験用信号を、送受信アンテナ４８に供給して送信させる。
【０１６６】
SP3Tスイッチ３６２は、制御部３４１の制御にしたがって、スイッチの切り替えを行う。
【０１６７】
すなわち、例えば、制御部３４１が、受信アンテナ８３により受信される試験用信号を受信回路６４から取得する場合、SP3Tスイッチ３６２は、制御部３４１により、受信回路６４と同軸コネクタ４７とが相互に接続されるように切り替えられる。
【０１６８】
また、例えば、制御部３４１が、受信アンテナ４９により受信される試験用信号を受信回路６４から取得する場合、SP3Tスイッチ３６２は、制御部３４１により、受信回路６４と受信アンテナ４９とが相互に接続されるように切り替えられる。
【０１６９】
携帯電話機３２１では、SP3Tスイッチ３６２により、受信回路６４と同軸コネクタ４７とが相互に接続されている場合、第１の実施の形態と同様に、不具合検出処理を行うことが可能である。
【０１７０】
また、携帯電話機３２１では、送受信アンテナ４８又は受信アンテナ４９の一方にのみ不具合が生じている場合には、その不具合が、送受信アンテナ４８又は受信アンテナ４９のいずれかによる不具合であるかを検出するアンテナ不具合検出処理を行う。
【０１７１】
[アンテナ不具合検出処理による動作説明]
次に、携帯電話機３２１から送信される試験用信号の電力レベルを検出し、検出した電力レベルに応じて、送受信アンテナ４８及び受信アンテナ４９のうち、不具合が生じているアンテナを検出するアンテナ不具合検出処理を説明する。
【０１７２】
図８は、アンテナ不具合検出処理を説明するためのフローチャートである。なお、このアンテナ不具合検出処理は、例えば、ユーザにより、アンテナ不具合検出処理の開始を指示する指示操作が行われたことに対応して開始される。
【０１７３】
また、アンテナ不具合検出処理は、接続部４５と充電機能部８１、又は同軸コネクタ４７と同軸コネクタ８２の少なくとも一方が接続された場合に、不具合検出処理の代わりに開始されるようにしてもよい。
【０１７４】
ステップＳ３１において、制御部３４１は、SP3Tスイッチ３６２を切り替える。すなわち、例えば、制御部３４１は、アンテナスイッチ３６１を制御し、送信回路６１と送受信アンテナ４８とを相互に接続させるとともに、SP3Tスイッチ３６２を制御し、受信回路６４と同軸コネクタ４７とを相互に接続させる。
【０１７５】
ステップＳ３２において、制御部３４１は、ユーザによる指示操作に応じて、試験用信号を生成し、通信処理部３４３の送信回路６１に供給する。
【０１７６】
送信回路６１は、制御部３４１からの試験用信号に対して、変調等の処理を行い、処理後の試験用信号をアンテナスイッチ３６１に供給する。
【０１７７】
アンテナスイッチ３６１は、送信回路６１からの試験用信号を、送受信アンテナ４８に供給して送信させる。
【０１７８】
これに対応して、充電置き台２２の受信アンテナ８３は、送受信アンテナ４８から送信された試験用信号を受信し、同軸コネクタ８２及び同軸コネクタ４７を介して、携帯電話機３２１のSP3Tスイッチ３６２に供給する。
【０１７９】
いま、SP3Tスイッチ３６２は、同軸コネクタ４７と受信回路６４とを相互に接続している。したがって、SP3Tスイッチ３６２は、同軸コネクタ４７からの試験用信号を、受信回路６４に供給する。
【０１８０】
ステップＳ３３では、受信回路６４は、送受信アンテナ４８からの試験用信号を、受信アンテナ８３、同軸コネクタ８２、同軸コネクタ４７、及びSP3Tスイッチ３６２を介して受信し、受信した試験用信号に対して、復調等の処理を行う。そして、受信回路６４は、処理後の試験用信号を制御部３４１に供給する。
【０１８１】
ステップＳ３４において、制御部３４１は、受信回路６４からの試験用信号の電力レベルを取得（検出）し、取得した電力レベルを、受信アンテナ８３の電力レベルを示す第１の電力レベルとして、内蔵するメモリ４２に保持する。
【０１８２】
ステップＳ３５において、制御部３４１は、第１の電力レベルをメモリ４２に保持した後、SP3Tスイッチ３６２を切り替える。
【０１８３】
すなわち、例えば、制御部３４１は、SP3Tスイッチ３６２を制御し、同軸コネクタ４７と受信回路６４との接続を解除させて、受信アンテナ４９と受信回路６４とを相互に接続させる。
【０１８４】
ステップＳ３６において、制御部３４１は、試験用信号を生成し、通信処理部３４３の送信回路６１に供給する。
【０１８５】
送信回路６１は、制御部３４１からの試験用信号に対して、変調等の処理を行い、処理後の試験用信号をアンテナスイッチ３６１に供給する。
【０１８６】
アンテナスイッチ３６１は、送信回路６１からの試験用信号を、送受信アンテナ４８に供給して送信させる。
【０１８７】
これに対応して、携帯電話機３２１の受信アンテナ４９は、送受信アンテナ４８から送信された試験用信号を受信し、SP3Tスイッチ３６２に供給する。
【０１８８】
いま、SP3Tスイッチ３６２は、受信アンテナ４９と受信回路６４とを相互に接続している。したがって、SP3Tスイッチ３６２は、受信アンテナ４９からの試験用信号を、受信回路６４に供給する。
【０１８９】
ステップＳ３７では、受信回路６４は、送受信アンテナ４８からの試験用信号を、受信アンテナ４９及びSP3Tスイッチ３６２を介して受信し、受信した試験用信号に対して、復調等の処理を行う。そして、受信回路６４は、処理後の試験用信号を制御部３４１に供給する。
【０１９０】
ステップＳ３８において、制御部３４１は、受信回路６４からの試験用信号の電力レベルを取得（検出）し、取得した電力レベルを、受信アンテナ４９の電力レベルを示す第２の電力レベルとして、内蔵するメモリ４２に保持する。
【０１９１】
ステップＳ３９において、制御部３４１は、メモリ４２に保持された第１の電力レベルと、記憶部３４２に予め保持されている第２の閾値とを比較する。
【０１９２】
また、ステップＳ４０において、メモリ４２に保持された第２の電力レベルと、記憶部３４２に予め保持されている第３の閾値とを比較する。
【０１９３】
ステップＳ４１において、制御部３４１は、ステップＳ３９の処理による比較結果に基づいて、第１の電力レベルが第２の閾値以下であるか否かを判定する。
【０１９４】
ステップＳ４１において、制御部３４１は、ステップＳ３９の処理による比較結果に基づいて、第１の電力レベルが第２の閾値以下であると判定した場合、処理はステップＳ４２に進められる。
【０１９５】
そして、ステップＳ４２において、制御部３４１は、送受信アンテナ４８及び受信アンテナ４９のうちの送受信アンテナ４８や送信回路６１等に不具合が生じていることを検出する。
【０１９６】
また、ステップＳ４１において、制御部３４１は、ステップＳ３９の処理による比較結果に基づいて、第１の電力レベルが第２の閾値以下でないと判定した場合、処理はステップＳ４３に進められる。
【０１９７】
ステップＳ４３において、制御部３４１は、ステップＳ４０の処理による比較結果に基づいて、第２の電力レベルが第３の閾値以下であるか否かを判定する。
【０１９８】
ステップＳ４３において、制御部３４１は、ステップＳ４０の処理による比較結果に基づいて、第２の電力レベルが第３の閾値以下であると判定した場合、処理はステップＳ４４に進められる。
【０１９９】
そして、ステップＳ４４において、制御部３４１は、送受信アンテナ４８及び受信アンテナ４９のうちの受信アンテナ４９等に不具合が生じていることを検出する。
【０２００】
また、ステップＳ４３において、制御部３４１は、ステップＳ４０の処理による比較結果に基づいて、第２の電力レベルが第３の閾値以下でないと判定した場合、処理は終了される。
【０２０１】
以上で、アンテナ不具合検出処理は終了される。
【０２０２】
ここで、第１の電力レベルが、第２の閾値以下であるか否かに基づいて、送受信アンテナ４８や送信回路６１等に不具合が生じているか否かを検出することができる理由について以下説明する。
【０２０３】
なお、上述したように、受信アンテナ８３には（殆ど）不具合が生じないため、受信アンテナ８３には不具合が生じていないことを前提として以下説明する。
【０２０４】
送受信アンテナ４８や送信回路６１等に不具合が生じており、受信アンテナ４９に不具合が生じていない場合、受信アンテナ８３により受信される試験用信号の電力レベルは、工場出荷時に形成した充電システム３０１において、不具合が生じていない受信アンテナ８３により受信された試験用信号の電力レベルよりも充分に小さな値（レベル）となる。この場合、第１の電力レベルは第２の閾値以下の値となる。
【０２０５】
したがって、第１の電力レベルが第２の閾値以下である場合、送受信アンテナ４８及び受信アンテナ４９のうちの送受信アンテナ４８に不具合が生じていることになる。
【０２０６】
また、送受信アンテナ４８や送信回路６１等に不具合が生じておらず、受信アンテナ４９に不具合が生じている場合、受信アンテナ４９により受信される試験用信号の電力レベルは、工場出荷時に形成した充電システム３０１において、不具合が生じていない受信アンテナ４９により受信される試験用信号の電力レベルよりも充分に小さな値となる。この場合、第２の電力レベルは第３の閾値以下となる。
【０２０７】
したがって、第２の電力レベルが第３の閾値以下である場合、送受信アンテナ４８及び受信アンテナ４９のうちの受信アンテナ４９に不具合が生じていることになる。
【０２０８】
以上説明したように、アンテナ不具合検出処理では、受信アンテナ８３により受信された試験用信号の第１の電力レベルと第２の閾値との比較結果、及び受信アンテナ４９により受信された試験用信号の第２の電力レベルと第３の閾値との比較結果に基づいて、携帯電話機２４１の送受信アンテナ４８及び受信アンテナ４９のうち、不具合が生じているアンテナを検出するようにした。
【０２０９】
したがって、アンテナ不具合検出処理では、不具合が生じているアンテナを容易に検出（特定）することが可能となる。
【０２１０】
＜３．変形例＞
第１の実施の形態では、不具合検出処理のステップＳ７において、制御部４１は、携帯電話機２１に不具合が生じていることを検出し、その旨を、携帯電話機２１に設けられたLCDやLED等を用いてユーザに通知するようにしたが、これに限定されない。
【０２１１】
すなわち、例えば、携帯電話機２１では、送受信アンテナ４８により送信される試験用信号等の電力レベルを、複数の電力レベルから設定できるようにしておき、携帯電話機２１に不具合が生じていることが検出された場合に、現在の電力レベルを、より電力レベルが高いものに設定することが可能である。
【０２１２】
また、電力レベルが新たに設定される毎に不具合検出処理を行い、充電置き台２２の受信アンテナ８３により受信される試験用信号の電力レベルが第１の閾値以上であると判定されるまで、電力レベルをより高いものに設定するようにしてもよい。
【０２１３】
この場合、電力レベルをより高いものに設定することにより、携帯電話機２１による消費電力は増加するものの、携帯電話機２１に不具合が生じているにも拘わらず、携帯電話機２１により行われる無線通信の無線環境を改善することが可能となる。
【０２１４】
なお、新たに設定された電力レベルにより、送受信アンテナ４８から試験用信号を送信し、充電置き台２２の受信アンテナ８３により受信される試験用信号の電力レベルを、第１の閾値として新たに設定し、それ以降の不具合検出処理では、新たに設定された第１の閾値を用いて不具合を検出するようにしてもよい。
【０２１５】
第１の実施の形態では、携帯電話機２１に不具合が生じているか否かを判断するために、不具合検出処理を１回だけ行うようにしたがこれに限定されない。
【０２１６】
すなわち、例えば、不具合検出処理を複数回行うようにし、その結果得られる複数の処理結果に基づいて、携帯電話機２１に不具合が生じているか否かを最終的に判断するようにしてもよい。
【０２１７】
具体的には、複数の処理結果のうち、携帯電話機２１に不具合が生じているとの処理結果が多い場合に、携帯電話機２１に不具合が生じていると最終的に判断するようにしてもよい。また、例えば、携帯電話機２１では、複数回だけ送信されてくる試験用信号の電力レベルの平均値と第１の閾値とを比較することにより、携帯電話機２１に不具合が生じているか否かを判断することが可能である。
【０２１８】
この場合、充電システム１の周囲の環境等により、受信アンテナ８３により受信される試験用信号の電力レベルにばらつきが生じている場合でも、比較的、精度良く不具合を検出することが可能となる。
【０２１９】
また、充電システム１の周囲の環境により、受信アンテナ８３により受信される試験用信号の電力レベルにばらつきが生じている場合には、ユーザに対して、不具合検出処理を行う環境の変更を促すようにしてもよい。
【０２２０】
さらに、第１の実施の形態では、送受信アンテナ４８からの試験用信号を、充電置き台２２の受信アンテナ８３により受信させるようにしたが、試験用信号を携帯電話機２１の受信アンテナ４９に受信させるようにして、不具合検出処理を行うようにしてもよい。
【０２２１】
この場合、充電置き台２２の同軸コネクタ８２及び受信アンテナ８３を設ける必要がなくなるため、充電置き台２２の製造コストを削減することが可能となる。
【０２２２】
また、例えば、試験用信号を送信する送受信アンテナ４８と、試験用信号を受信する受信アンテナ８３との間に金属等が配置されると、配置された金属等により、送受信アンテナ４８により送信される試験用信号の電力レベルや、受信アンテナ８３により受信されるときの試験用信号の電力レベルが不安定となることが生じ得る。
【０２２３】
したがって、携帯電話機２１と充電置き台２２とにより形成される充電システム１の周囲に、金属等の物体を配置できないように、充電置き台２２を構成してもよい。このことは、図５の充電置き台１４２についても同様のことがいえる。
【０２２４】
なお、第１及び第２の実施の形態では、携帯電話機に本発明を適用した場合について説明したが、その他、Bluetooth(登録商標)やWLAN（wireless local area network、無線LAN）等の無線通信を行う無線機器についても適用することが可能である。
【０２２５】
無線機器において、複数の周波数帯域により無線通信が行われる場合には、無線機器側では、無線通信に用いられる周波数帯域毎に試験用信号を送信し、充電置き台２２側では、無線通信に用いられる周波数帯域の個数だけ、対応する受信アンテナ８３を複数用意しておくことにより、不具合検出処理を行うようにしてもよい。
【０２２６】
また、充電置き台２２側では、無線機器側から送信される、それぞれ異なる周波数帯域毎の試験用信号を受信できる位置に、１個の受信アンテナ８３を配置するようにして、不具合検出処理を行うようにすることが可能である。
【０２２７】
この場合、無線機器側に設けられる受信回路（例えば、受信回路６４等）を、それぞれ異なる周波数帯域毎の試験用信号に対応可能なものとして構成することにより実現することができる。
【０２２８】
さらに、無線機器側に、周波数帯域毎の試験用信号に対応する受信回路それぞれを設ける場合には、充電器側の受信アンテナ８３から供給される、周波数帯域毎の試験用信号を、対応する受信回路に振り分けるスイッチを追加することにより実現する。
【０２２９】
なお、第１の実施の形態では、携帯電話機２１を充電置き台２２に装着したことに対応して、不具合検出処理を行うようにしたが、携帯電話機２１を装着するものはこれに限定されない。
【０２３０】
すなわち、送受信アンテナ４８と受信アンテナ８３との位置が、図２に示したような位置に固定することが可能であれば、充電置き台２２に代えて、同軸コネクタ８２及び受信アンテナ８３のみを有する通信装置を採用することが可能である。
【０２３１】
この場合、携帯電話機２１の同軸コネクタ４７と、通信装置の同軸コネクタ８２とが接続されたことに対応して、不具合検出処理は行われる。
【０２３２】
なお、通信装置は、例えば、充電置き台２２と同様に、携帯電話機２１のアクセサリとしてユーザに譲渡されるものとしてもよいし、携帯電話機２１の製造メーカ等に設置されたサービスステーションに配置されるものとしておいてもよい。
【０２３３】
次に、上述した一連の処理は、専用のハードウエアにより実行させることもできるし、ソフトウエアにより実行させることもできる。一連の処理をソフトウエアにより実行させる場合には、そのソフトウエアを構成するプログラムが、いわゆる組み込み型のコンピュータ、または、各種のプログラムをインストールすることで、各種の機能を実行することが可能な、例えば汎用のコンピュータなどに、記録媒体からインストールされる。
【０２３４】
[コンピュータの構成例]
図９は、上述した一連の処理をプログラムにより実行するコンピュータの構成例を示している。
【０２３５】
CPU（central processing unit）４０１は、ROM（read only memory）４０２、または記憶部４０８に記憶されているプログラムに従って各種の処理を実行する。RAM（random access memory）４０３には、CPU４０１が実行するプログラムやデータなどが適宜記憶される。これらのCPU４０１、ROM４０２、およびRAM４０３は、バス４０４により相互に接続されている。
【０２３６】
CPU４０１にはまた、バス４０４を介して入出力インタフェース４０５が接続されている。入出力インタフェース４０５には、キーボード、マウス、マイクロホンなどよりなる入力部４０６、ディスプレイ、スピーカなどよりなる出力部４０７が接続されている。CPU４０１は、入力部４０６から入力される指令に対応して各種の処理を実行する。そして、CPU４０１は、処理の結果を出力部４０７に出力する。
【０２３７】
入出力インタフェース４０５に接続されている記憶部４０８は、例えばハードディスクからなり、CPU４０１が実行するプログラムや各種のデータを記憶する。通信部４０９は、インターネットやローカルエリアネットワークなどのネットワークを介して外部の装置と通信する。
【０２３８】
また、通信部４０９を介してプログラムを取得し、記憶部４０８に記憶してもよい。
【０２３９】
入出力インタフェース４０５に接続されているドライブ４１０は、磁気ディスク、光ディスク、光磁気ディスク、或いは半導体メモリなどのリムーバブルメディア４１１が装着されたとき、それらを駆動し、そこに記録されているプログラムやデータなどを取得する。取得されたプログラムやデータは、必要に応じて記憶部４０８に転送され、記憶される。
【０２４０】
コンピュータにインストールされ、コンピュータによって実行可能な状態とされるプログラムを記録する記録媒体は、図９に示されるように、磁気ディスク（フレキシブルディスクを含む）、光ディスク（CD-ROM(compact disc-read only memory),DVD(digital versatile disc)を含む）、光磁気ディスク（ＭＤ（mini-disc）を含む）、もしくは半導体メモリなどよりなるパッケージメディアであるリムーバブルメディア４１１、または、プログラムが一時的もしくは永続的に記録されるROM４０２や、記憶部４０８を構成するハードディスクなどにより構成される。記録媒体へのプログラムの記録は、必要に応じてルータ、モデムなどのインタフェースである通信部４０９を介して、ローカルエリアネットワーク、インターネット、デジタル衛星放送といった、有線または無線の通信媒体を利用して行われる。
【０２４１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４２】
また、本明細書において、システムとは、複数の装置により構成される装置全体を表すものである。
【０２４３】
なお、本実施の形態は、上述した第１及び第２の実施の形態に限定されるものではなく、本発明の要旨を逸脱しない範囲において種々の変更が可能である。
【符号の説明】
【０２４４】
１  充電システム，  ２１  携帯電話機，  ２２  充電置き台，  ４１  制御部，  ４２  メモリ，  ４３  記憶部，  ４４  電源部，  ４５  接続部，  ４６  通信処理部，  ４７  同軸コネクタ，  ４８  送受信アンテナ,  ４９  受信アンテナ,  ６１  送信回路，  ６２  受信回路，  ６３  アンテナスイッチ，  ６４  受信回路，  ８１  充電機能部，  ８２  同軸コネクタ，  ８３  受信アンテナ，  ２２１  充電システム，  ２４１  携帯電話機，  ２６１  通信処理部，  ２８１  アンテナスイッチ，  ２８２  SPDTスイッチ，  ３０１  充電システム，  ３２１  携帯電話機，  ３４１  制御部，  ３４２  記憶部，  ３４３  通信処理部,  ３６１  アンテナスイッチ，  ３６２  SP3Tスイッチ
【図１】
2010287978.tif 000003
【図２】
2010287978.tif 000004
【図３】
2010287978.tif 000005
【図４】
2010287978.tif 000006
【図５】
2010287978.tif 000007
【図６】
2010287978.tif 000008
【図７】
2010287978.tif 000009
【図８】
2010287978.tif 000010
【図９】
2010287978.tif 000011